(57)【特許請求の範囲】
【請求項１】
公営競技に参加した競走体の競走成績及びその競走成績に影響を与える成績要素が、所望の表示媒体に表示又は印刷媒体に印刷された公営競技情報誌を製造するコンピュータシステムを、出走表と結果表と配当表との原始データを入力する入力手段と、該手段にて入力された文字列であるレースの種目にて数値であるレースの格をレース格変換テーブルより抽出及び変換するレース格変換手段と、前記入力手段にて入力された配当表から、人気順と連下人気順と売上割合との人気データを算出する人気データ算出手段と、前記入力手段にて入力された原始データと前記レース格変換手段にて変換されたレースの格と前記人気データ算出手段にて算出された人気データとから成る競走成績データを競走成績テーブルに記録及び蓄積する競走成績記録手段と、前記入力手段にて入力された出走表を基に前記競走成績テーブルから直近の所定のレース数の競走成績データを抽出する競走成績抽出手段と、該手段にて抽出された競走成績データのうちの少なくとも当該競走体の人気順と着順との組合せにより選択及び決定された、少なくとも形と色と模様との形状と、縦幅要素との描画要素を描画要素変換テーブルより抽出及び変換する描画要素変換手段と、該手段にて抽出及び変換された縦幅要素から縦幅を算出する縦幅算出手段と、前記描画要素変換手段にて抽出及び変換された形状と、前記縦幅算出手段にて算出された縦幅とにて構成された描画要素にて図形オブジェクトを生成するオブジェクト生成手段と、該手段にて生成された図形オブジェクトを、横又は縦の第１の方向に時間軸と前記第１の方向に直交した第２の方向にレースの格の数値軸とを設定した領域に、時系列に配置した時系列コンテンツを生成する時系列コンテンツ生成手段と、レース単位の全参加競走体の、前記時系列コンテンツを縦又は横方向に順次配置した一覧時系列コンテンツを生成する一覧時系列コンテンツ生成手段と、該手段にて生成された一覧時系列コンテンツを含み、コンピュータ読み取り可能な構造を有しインターネットや電話通信網などのデータ通信ネットワークを介して送受信可能な公営競技情報誌ファイルを生成する情報誌生成手段と、該手段にて生成された公営競技情報誌ファイルを記憶装置に記憶させる情報誌記憶手段と、前記記憶装置に記憶された前記公営競技情報誌ファイルを紙媒体に印刷する情報誌印刷手段と、前記公営競技情報誌ファイルを表示媒体に表示する情報誌表示手段と、前記公営競技情報誌ファイルをインターネットや電話通信網などのデータ通信ネットワークを介して外部のコンピュータシステムへ送信する送信手段として機能させることを特徴とするプログラム。
【請求項２】
公営競技に参加した競走体の競走成績及びその競走成績に影響を与える成績要素が、所望の表示媒体に表示又は印刷媒体に印刷された公営競技情報誌を製造するコンピュータシステムであって、出走表と結果表と配当表との原始データと、操作者の指示とを入力する入力手段３１と、 該入力手段にて入力された原始データと該データの一部を加工した加工データとから成る競走成績データを記録及び蓄積する競走成績テーブル３７ｃ１と、前記入力手段にて入力された配当表を記録及び蓄積する配当表テーブル３７ｃ２と、少なくとも当該競走体の人気順と着順との組合せによって、少なくとも形と色と模様との形状と、縦幅要素との描画要素を抽出及び変換する描画要素変換テーブル３７ｂ１と、前記入力手段にて入力された文字列であるレースの種目にて数値であるレースの格を抽出及び変換するレース格変換テーブル３７ｂ２と、レース場の基本情報を記録したレース場テーブル３７ｂ３と、競走体の基本情報を記録した競走体テーブル３７ｂ４と、本システムを動作させる請求項１に記載のプログラム３７ａ１と、該プログラムを実行するＣＰＵ（Ｃｅｎｔｅｒ  Ｐｒｏｃｅｓｓｉｎｇ  Ｕｎｉｔ：中央演算装置）３２と、前記各テーブルと前記プログラムと該プログラムによって生成された公営競技情報誌ファイル３７ｄ１とを記憶するための記憶手段３７と、プログラム実行時に作業ファイルを一時的に記憶するためのメモリー３３と、前記記憶手段に記憶された前記公営競技情報誌ファイルを紙媒体に印刷する情報誌印刷手段３４と、前記公営競技情報誌ファイルと操作者の指示を受けるためのＧＵＩ（Ｇｒａｐｈｉｃａｌ  Ｕｓｅｒ  Ｉｎｔｅｒｆａｃｅ）とプログラムの稼動状況とを表示する表示手段３５と、前記公営競技情報誌ファイルをインターネットや電話通信網などのデータ通信ネットワークを介して外部のコンピュータへ送信する送信手段３６とを備えることを特徴とする公営競技情報誌製造システム。
【請求項３】
公営競技に参加した競走体の競走成績及びその競走成績に影響を与える成績要素が、所望の表示媒体に表示又は印刷媒体に印刷された公営競技情報誌の基と成る、コンピュータ読み取り可能な構造を有しインターネットや電話通信網などのデータ通信ネットワークを介して送受信可能な公営競技情報誌ファイルをコンピュータシステムにて生成する方法であって、出走表と結果表と配当表との原始データを入力する入力工程と、該工程にて入力された文字列であるレースの種目にて数値であるレースの格をレース格変換テーブルより抽出及び変換するレース格変換工程と、前記入力工程にて入力された配当表から、人気順と連下人気順と売上割合との人気データを算出する人気データ算出工程と、前記入力工程にて入力された原始データと前記レース格変換工程にて変換されたレースの格と前記人気データ算出工程にて算出された人気データとから成る競走成績データを競走成績テーブルに記録及び蓄積する競走成績記録工程と、前記入力工程にて入力された出走表を基に前記競走成績テーブルから直近の所定のレース数の競走成績データを抽出する競走成績抽出工程と、該工程にて抽出された競走成績データのうちの少なくとも当該競走体の人気順と着順との組合せにより選択及び決定された、少なくとも形と色と模様との形状と、縦幅要素との描画要素を描画要素変換テーブルより抽出及び変換する描画要素変換工程と、該工程にて抽出及び変換された連下人気順又は売上割合のいずれかの縦幅要素から縦幅を算出する縦幅算出工程と、前記描画要素変換工程にて抽出及び変換された形状と、前記縦幅算出工程にて算出された縦幅とにて構成された描画要素にて図形オブジェクトを生成するオブジェクト生成手順と、該工程にて生成された図形オブジェクトを、横又は縦の第１の方向に時間軸と前記第１の方向に直交した第２の方向にレースの格の数値軸とを設定した領域に、時系列に配置した時系列コンテンツを生成する時系列コンテンツ生成工程と、レース単位の全参加競走体の、前記時系列コンテンツを縦又は横方向に順次配置した一覧時系列コンテンツを生成する一覧時系列コンテンツ生成工程とを備えることを特徴とする公営競技情報誌製造方法。
【発明の詳細な説明】
【技術分野】
【０００１】
本発明は、公営競技の情報誌に関するものである。
【背景技術】
【０００２】
公営競技である、競馬・競輪・競艇・オートレース等のファンはスポーツとしての興味以外に投票行為に対する興味も大きい。
ファンのために、勝者予想の参考資料となる予想専門誌（情報誌）が発行されている。
該予想専門誌には、競走体の現在の能力や調子等を、推理／評価するための資料として、競走体毎の直近の所定のレース数の連続した競走成績を規則的に配置した競走成績表示欄が用いられていて、その縦長の形状に由来して一般的に成績柱と言われている。
成績柱の各競走体毎の個々のレースの競走成績は、着順を第一優先にして、ファンが勝者を予想するために有用と思われる複数のデータ項目を表示してある。
【０００３】
図１４を参照して、個々のレースの競走成績を表示し成績柱を構成する表示物１４１の説明をする。
競走体の競走成績（以後、単に競走成績と言う。）を表示する方法としては、着順を表す文字１４２を主体とし、レースの種目等を、該文字を○（丸）や□（四角）等から成る文字を囲める記号１４３（以後、単に囲み記号と言う。）で囲む、有無の二値から成る背景色１４４を付ける等の修飾にて表し、文字と、修飾とのテキスト要素から成る一体感を有する表示物（以後、テキスト表示物と言う。）で表示する方法が一般的に実施されている。
前記テキスト表示物から成る成績表示物を、以後テキスト成績表示物と言う。
図１４では□（四角）の囲み記号１４３がレースの種目の上位数種類を表し、背景色１４４が該上位数種類のうちの最上位である決勝戦を表していて、本テキスト成績表示物は、文字と、囲み記号と、背景色との三つの要素で、着順が３着と、レースの種目が決勝戦との二つのデータ項目を表示している。
又、競馬等の予想専門誌においては、多くのデータ項目を表示するために図１６に示すように、複数のテキスト表示物の集合体にて表示する方法も実施されている。
【０００４】
本発明に関する、従来技術の特許文献は存在しないので、以下に非特許文献を示す。
【非特許文献１】競輪予想専門誌  「小田競」（非登録商標）                                       発行者  神奈川県小田原市荻窪３５９番地                                      有限会社  石田商事
【非特許文献２】競馬予想専門誌  「競馬研究」（登録商標  第４３１８３１６号）                    発行者  東京都江東区東区毛利２の９の１０                                    株式会社  松井総業
【非特許文献３】競輪予想専門誌  「赤競」（登録商標  第０４６４８３０号）                        発行者  東京都荒川区東日暮里４丁目１９番２号                                株式会社  日刊プロスポーツ新聞社
【発明の開示】
【発明が解決しようとする課題】
【０００５】
しかしながら所定の表示面積においての前記テキスト表示物は、単体（文字が一つから成る）では二つ程度のデータ項目しか表示できないため、図１４・１５に示すように、競輪等で実施されている一つのテキスト表示物から成るテキスト成績表示物１４１で表示する第１の成績柱１４０においては、各競走体毎に２７個（１月大宮競輪初日１４５〜４月岸和田競輪最終日１４６）程度のレース数を表示可能だが、表示可能なデータ項目としては、着順と、レースの種目との二項目程度に限定されてしまう、又、図１６・１７に示すように、競馬等で実施されている複数のテキスト表示物の集合体にて表示する第２の成績柱１６０においては、実施日１６２・レース場１６３・着順１６４・人気順１６５・重量１６６・連対相手名１６７等と多くのデータ項目を表示可能だが、個々のレースの競走成績を表示するテキスト成績表示物１６１の表示面積が拡大されてしまうため、表示できるレース数が６個（１６８〜１６９）程度に減数されてしまう。
つまり、レース数とデータ項目数とが表示面積に関わるため、レース数かデータ項目数のいずれかを著しく減数せざるを得ないと言う問題があった。
【０００６】
近年、個体番号（枠番で無く車番や馬番等）に対する２連勝式賭式（１着と、２着とを的中させる賭式）や３連勝式賭式（１着と、２着と、３着とを的中させる賭式）が発売開始され、投票券の売上の多くが、投票組番（フォーカスとも言う。）の組合せがより多くて、より高配当になり易い賭式へ移行する傾向に有り、例えば連対相手の人気順や連対相手との人気関係等の連勝式賭式に対応したデータ項目の表示が要求されていて、より多くのデータ項目を表示することが要求されているにも関わらず、前記テキスト成績表示物では対応がなされていないと言う問題もあった。
【０００７】
又、第１の成績柱１４０においては、成績柱内の競走成績を表示するテキスト成績表示物１４１の配置が３行×３列×３段の枠で構成されていて、視点の移動が一元的でなく、又、第２の成績柱１６０においても、競走成績を表示するテキスト成績表示物１６１が複数のテキスト表示物から成るために一体感が醸成できず、直感的には視認し辛いと言う問題もあった。
【０００８】
本発明は上記の問題を解決するためになされたものであり、少なくとも、連勝式賭式に対応したデータ項目を含み、より多くのデータ項目を含んだ競走成績の遷移を、一元的及び直感的に視認し易く表示したコンテンツを含んだ公営競技の情報誌を提供することを目的とするものである。
【課題を解決するための手段】
【０００９】
上記目的を達成するために、本発明は描画要素を媒体として、データ項目の値を反映表示した図形オブジェクトにて競走成績を表示することを特徴とする。
【００１０】
従来のテキスト主体のテキスト成績表示物では、データ項目の値を表示する媒体として、文字・囲み記号・背景色程度の要素しか利用できず、文字が一つの単体では二つ程度のデータ項目しか表示できないが、本発明の図形オブジェクトにて表示することによって、データ項目の値を表示する媒体として、例えば形・模様・色・縦幅・横幅等と多くの描画要素を利用可能となり、個々のレースの競走成績を表示する成績表示物の一体感を損ねること無く、表示できるデータ項目数を増加させることが容易に可能となる。
【００１１】
形と色と模様と、縦幅と、横幅とから成る、図形オブジェクトは、ファンの期待に応えられたか否かの結果を表示するために、人気順と着順との組合せによって、形と色と模様との形状（以後、形と色と模様とを形状三要素と言う。）を選択し、同じく前記人気順と着順との組合せによって、連下人気順又は売上割合のいずれかのデータ項目を縦幅要素として選択し、前記選択された形状三要素と、前記選択された縦幅要素より算出した縦幅と、所定の横幅とから成る形状にて、描画することによって、少なくとも、人気順と着順と連下人気順又は売上割合とを反映して表示することが可能となる。
【００１２】
さらに、前記図形オブジェクトにて表示済みのデータ項目に次いで有用と思われる、例えば競輪においてのホーム線及びバック線（以後、ホーム線をホームと言い、バック線をバックと言い、両方を併せてＨＢ線と言う。）通過時の先頭位置の取得及び連対時の決まり手のデータ項目等を反映して表示した図形を前記図形オブジェクトに併合して表示することも可能となる。
【００１３】
本発明は、さらに、図１に示すように前記図形オブジェクトを、横又は縦の第１の方向に時間と、前記第１の方向に直交した第２の方向にレースの格とを設定した領域に、時系列に配置して描画した時系列コンテンツを提供することを特徴とする。
図１は図１３に示す選手ＩＤ０１２３５０宮村達男選手の西暦２００６年２月２７日〜２００６年４月１６日までの競走成績を時系列に配置して描画したものである。
又、図２に示すように、競走単位の出走する全ての競走体の前記時系列コンテンツを、縦又は横方向に一覧表示することによって、さらに、競走体毎の競走成績を比較対照し易く表示した一覧時系列コンテンツを提供することを特徴とする。
【００１４】
図形オブジェクトを時系列に配置して描画することによって、連続した競走成績を一元的及び直感的に視認し易く表示することが可能となり、従来技術の前記問題点を、かなり解消することができる。
【発明の効果】
【００１５】
以上説明したように、本発明によれば、少なくとも、連勝式賭式に対応したデータ項目を含み、より多くのデータ項目を含んだ競走成績の遷移を、一元的及び直感的に視認し易く表示したコンテンツを含んだ公営競技の情報誌を提供することができる。
【発明を実施するための最良の形態】
【００１６】
以下に本発明による、時系列コンテンツを含む情報誌の製造システムの具体的な実施の形態を図面を参照して詳細に説明する。
【実施例１】
【００１７】
以下、本発明の一実施の形態を公営競技のうちの競輪を主体にして説明をする。
図３は時系列コンテンツを含む情報誌ファイルを生成する処理を実行するためのシステム構成図である。
入力装置３１と、ＣＰＵ３２と、メモリー３３と、印刷装置３４と、表示装置３５と、送信装置３６と、記憶装置３７とが、バス線３８に接続されている。
【００１８】
３１は、キーボードやマウス等から成り、外部から、出走表と結果表と配当表との各データと、操作者の指示等とを入力するための入力装置である。
３２は、情報誌ファイルを生成するための各種手段としてのプログラムを実行するためのＣＰＵである。
３３は、ビュー表等の作業ファイル等を一時的に記憶するための揮発性記憶装置のメモリーである。
３４は、プリンター等から成り、情報誌ファイルから情報誌を紙媒体に印刷するための印刷装置である。
３５は、ディスプレイ等から成り、情報誌ファイル及び操作者の指示等の入力を受けるためのＧＵＩ（Ｇｒａｐｈｉｃａｌ  Ｕｓｅｒ  Ｉｎｔｅｒｆａｃｅ）及びプログラムの稼動状況等を表示するための表示装置である。
３６は、モデム等の通信端末から成り、情報誌ファイルをインターネットや電話通信網等のデータ通信ネットワーク（以後、単に通信ネットワークと言う。）を介して送信するための送信装置である。
３７は、ハードディスクやリムーバルディスク等から成る、不揮発性記憶装置である。
３７ａは、記憶装置３７内の第１のファイル管理部である。
３７ｂは、記憶装置３７内の第２のファイル管理部である。
３７ｃは、記憶装置３７内の第３のファイル管理部である。
３７ｄは、記憶装置３７内の第４のファイル管理部である。
３８は、各装置を接続するためのバス線である。
【００１９】
第１のファイル管理部３７ａには、過去の競走成績を競走成績テーブル３７ｃ１から抽出するための競走成績抽出手順と、配当表テーブル３７ｃ２から売上に関わるデータである人気データを算出する人気データ算出手順と、図形オブジェクトを生成する図形オブジェクト生成手順と、時系列コンテンツを生成する時系列コンテンツ生成手順と、一覧時系列コンテンツを生成する一覧時系列コンテンツ生成手順と、情報誌ファイル３７ｄ１を生成する情報誌ファイル生成手順との各機能を有し、ＣＰＵ３２で実行可能なプログラム３７ａ１を格納する。
【００２０】
第２のファイル管理部３７ｂには、プログラムが参照するマスターテーブルを格納する。
入力された、人気順と着順との組合せによって、図形オブジェクトの、形状三要素と、縦幅要素とを抽出／変換する描画要素変換テーブル３７ｂ１と、入力された文字列であるレースの種目にて数値であるレースの格を抽出／変換するレース格変換テーブル３７ｂ２と、レース場の基本情報を記録したレース場テーブル３７ｂ３と、選手（競走体）の基本情報を記録した競走体テーブル３７ｂ４とを格納する。
【００２１】
第３のファイル管理部３７ｃには、プログラムが生成したファイルを記録／蓄積する。
入力された原始データと、該データの一部を加工した加工データとから成る競走成績データを記録／蓄積する競走成績テーブル３７ｃ１と，配当表を記録／蓄積する配当表テーブル３７ｃ２とを格納する。
【００２２】
第４のファイル管理部３７ｄには、プログラムが生成した、情報誌ファイル３７ｄ１を記録／蓄積する。
【００２３】
一般的に使用されている「人気」とは論理的に明確な定義のない広義な「人気」である。
本システムにて取り扱う加工データのうちの、「人気順」と、「連下人気順」と、「売上割合」との論理的に明確な「人気データ」について説明をする。
人気とは、ファンの支持を集めた度合い、すなわち投票券の売上であって、投票券は複数種類の賭式毎に存在し、人気も賭式と同様複数存在するので、本例では２連勝車番単式を例として説明する。
【００２４】
始めに、「連対」と、「連上」と、「連下」と、「着外」との用語について定義する。
２連勝車番単式とは、１着と、２着とを着順どおり的中させる賭式であるので、１着と、２着とを連対したと言い、１着を連上と言い、２着を連下と言い、連対以外の着を着外と言うと定義する。
【００２５】
売上割合とは、対象選手の連対時（１着と２着）の投票組番の売上合計の全売上の中に占める割合と定義する。
人気順とは、売上割合の多い順からと定義する。
【００２６】
２連勝車番単式の配当は、１着の選手の人気と、該１着の選手の連上時の投票組番内の２着の選手の人気とによって決まるものである。
連下人気順とは、連下の選手を評価する人気の順位であり、連対相手選手（１着の選手）の連上時の投票組番の全売上の中に占める割合の多い順からと定義する。
各選手は、自己以外の全ての出走選手の連上時の投票組番の中に一つずつの連下人気順を有していて、その数は出走選手数―１（自己）となり、出走選手数が９名（車）の場合には、８個の連下人気順を有している。
【００２７】
図９に示す、競走成績テーブルの連下人気順は、実際に入線（ゴール）した連対選手の連対相手との１着から見た２着の連下人気順又は２着から見た１着の連下人気順のいずれか一つだけであり、着外の選手は記録が不要となる。
【００２８】
「レースの格」について説明をする。
レースの格の基となるレースの種目の原始データは文字列であるが、前記レースの格を図形オブジェクトの時系列コンテンツ内の縦位置に反映するために数値データであるレースの格に変換する。
又、そのレースの種目の文字列の種類は多数あるので、前記縦位置を視認する感覚として適当と思われる種目１〜３の３層程度のレースの格に分類した後に記録／蓄積する。
図８はレースの格を抽出／変換するためのレース格変換テーブルの構成図である。
入力手段にて入力されたレースの種目の文字列は、前記レース格変換テーブルの一致する種目の文字列８１と同一行の数値であるレースの格８２に変換後に競走成績テーブルのレースの格に記録／蓄積する。
【００２９】
本発明の図形オブジェクト及び時系列コンテンツの描画方法について説明をする。
本例では、横方向に時間を設定し、図形オブジェクトの横幅には競走成績データを反映せずに時系列コンテンツを表示する領域の横幅と、表示する列数とから算出する所定の横幅を使用する。
【００３０】
図４は、人気順と着順との組合せによって、図形オブジェクトを構成する要素である、形状三要素と、縦幅要素とを選択する概念を示すフローチャートである。
図５は前記概念を実現するための描画要素変換テーブル３７ｂ１の構成図である。
【００３１】
図６は、図形と、形状三要素と縦幅要素との対比表である。
本例においては２連勝車番単式を対象とした、人気順の、１番人気と、１番人気以外との２通りと、着順の、１着と、２着と、着外との３通りとの２×３＝６種類のパターンに分類している。
Ｐ1・１番人気で、期待通りの１着であれば、青色で頂点を下向きとした二等辺逆三角形の第１の形状三要素を、１着から見た（１着の連上時の投票組番内の）２着の連下人気順より算出した縦幅にて描画する第１の形状とする。
Ｐ１のパターンにおいては、二等辺逆三角形の中を塗潰しても良い。
Ｐ2・１番人気で、惜しくも２着であれば、左右に対しての中央に縦長の帯状の模様を配した長方形で、色は周囲（枠）を青とし、中央の模様を赤で塗潰した第２の形状三要素を、２着から見た１着の連下人気順より算出した縦幅にて描画する第２の形状とする。
Ｐ２のパターンにおいては、縦幅要素を人気順又は売上割合としても良い。
Ｐ３・１番人気で、期待を裏切って着外であれば、赤色で長方形の中を塗潰した第３の形状三要素を、自己の売上割合より算出した縦幅にて描画する第３の形状とする。
【００３２】
Ｐ４・１番人気以外で、期待以上の活躍をして１着であれば、緑色で長方形の中を塗潰し、3Ｄ（Ｔｈｒｅｅ  Ｄｉｍｅｎｓｉｏｎａｌ：立体）効果をつけた第４の形状三要素を、１着から見た２着の連下人気順より算出した縦幅にて描画する第４の形状とする。
Ｐ４のパターンにおいては、縦幅要素を人気順又は売上割合としても良い。
Ｐ５・１番人気以外で、２着であれば、青色で頂点を上向きとした二等辺三角形の第５の形状三要素を、１着から見た２着の連下人気順より算出した縦幅にて描画する第５の形状とする。
Ｐ５のパターンにおいては、色を、１着が１番人気の場合に青色とし、１着が１番人気以外の場合は緑色として区別しても良い、又、二等辺三角形の中を塗潰しても良い。
Ｐ６・１番人気以外で、着外であれば、図形を描画しない。
【００３３】
図７を参照して、決まり手と、ＨＢ線通過時の先頭位置取得（以後、ＨＢ線取得と言う。）とのデータを反映表示した図形オブジェクトの描画方法について説明をする。
決まり手を表す長方形７１は、逃げ＝赤と、捲り＝緑と、追込み・マーク＝青との各色で塗潰す。
決まり手を表す長方形７１を描画し、該長方形の下方向に順次、最終バック（ゴール半周前）７２と、１周前ホーム（ゴール１周前）７３と、１周前バック（ゴール１周半前）７４と、２周前ホーム（ゴール２周前）７５との四つの長方形を垂直に並べて、前記決まり手を表す長方形７１より小さめに表示する。
【００３４】
前記四つの長方形は、最終バックと、１周前ホームとのいずれか一つ又は両方を取得した場合は戦法が先行とみなして、取得したＨＢ線の全ての長方形を赤で塗潰すが、最終バックと、１周前ホームとのいずれとも取得せずに、１周前バックと、２周前ホームとのいずれか一つ又はその両方を取得した場合は先行では無くイン切りとみなして、取得したＨＢ線の全ての長方形を黒で塗潰す。
【００３５】
決まり手を表す長方形と、ＨＢ線取得の長方形とは別々に独立していて、例えば追込み型選手に多く見受けられるＨＢ線を取得せずに連対した場合には決まり手を表す長方形だけを表示し、例えば先行型選手に多く見受けられる着外であってもＨＢ線を取得した場合はＨＢ線取得を表示する四つの長方形を表示する。
図７は、７１と、７２と、７３との長方形が赤で塗潰してあるので、最終バック７２と、１周前ホーム７３とでＨＢ線を取得し、決まり手が逃げ７１で連対したことを表している。
【００３６】
次に図９を参照して競走成績テーブルの構成の説明をする。
競走成績テーブルは、図形オブジェクト及び時系列コンテンツを構成する要素の基となるテーブルであり、全ての選手のレコードが一つのテーブルに混在しているので、フィールド項目に選手ＩＤを有し、入力された選手自身のレースの結果データと、レースの環境データとから成る競走成績データである、実施日と、レース場ＩＤと、開催種別と、日目と、レース番号と、車番と、選手ＩＤと、着順と、決まり手と、ＨＢ線取得との原始データに加えて、レースの格と、人気順と連下人気順と売上割合との加工データを記録／蓄積する。
【００３７】
前記競走成績テーブルは、レース実施日の西暦年の下２桁と、月２桁と、日２桁と、レース場ＩＤ２桁と、レース番号２桁との１０桁の文字列から成るレース単位のレースＩＤを有する。
もちろん各桁が２桁に満たない場合は先頭に“０”を付加し２桁にする。
レースＩＤと、実施日と、レース場ＩＤと、開催種別と、日目と、レース番号と、レースの格とはレース毎に一つの一次元データであり、車番と、選手ＩＤと、着順と、決まり手と、ＨＢ線取得と、人気順と、連下人気順と、売上割合とは各選手毎に一つずつの２次元データとなる。
【００３８】
図９の競走成績テーブルと、図１０の２連勝車番単式配当表とを参照して、レースＩＤ＝０６０４２７２１０７の２００６年４月２７日（０６０４２７）の弥彦競輪（レース場ＩＤ＝２１）第７レース（０７）における人気データの算出方法を具体的に説明する。
人気データは、本来売上票数から算出するが、本説明では、売上票数を反映している配当倍率から算出する方法を用いて説明をする。
【００３９】
図１０を参照して人気データの説明をする。
該レースの１番選手の加藤広太選手の売上割合は、連上時の各投票組番（１―２から１―９迄の８組）の売上割合の合計＋連下時の各投票組番（２―１から９―１迄の８組）の売上割合の合計となる。
投票組番１―２の売上割合の算出式は、１００（全部の売上）÷８９.２（配当倍率）≒１.１２％である。
１番選手の連上時の売上割合の合計（連上売上）は８.８％となり、連下時の売上割合の合計（連下売上）は１２.５％となり、売上割合は８.８％＋１２.５％＝２１.３％となる。
同様に他の選手の売上割合を算出すると、２番選手が１９％で、３番選手が９０％で、９番選手が７４％となる。
人気順は、１番選手が４番人気で、２番選手が５番人気で、９番選手が２番人気となる。
全選手の売上割合の合計は、連上時と、連下時とがそれぞれ１００（全部の売上）÷７５（払い戻される割合）≒１３３％１０１となり、連上時と、連下時との合計で≒２６６％１０２となる。
【００４０】
図９を参照して連下人気順の記録について説明をする。
連下人気順は、１番人気の選手が２着で入線の場合は、２着から見た１着の連下人気順を記録し、それ以外は１着から見た２着の連下人気順を記録する。
該レースにおいては、８―１で入線している。
１着の８番選手は３番人気であるから、図５の４行目５４に該当し、必要な連下人気順は、１着から見た２着の連下人気順であり、８―１の配当倍率３０.８倍は８番選手の連上時の投票組番の中で、１番目に売上が多い（配当倍率が低い）ので、記録する値は１である。
２着の１番選手は４番人気であるから、図５の５行目５５に該当し、必要な連下人気順は、１着から見た２着の連下人気順であり、記録する値は１である。
【００４１】
図形オブジェクトの縦幅は、直感的に視認し易い４層程度に分類する。
縦幅は、連下人気順又は売上割合のいずれかを基としている。
人気順の最大値は、出走選手数となり、競輪では最大９（名）となり、連下人気順の最大値は８（名）となる。
２連勝車番単式においては、１着と、２着とが的中投票券の対象となるので、前記二つの人気順については、連上と、連下と、着外との差異を明示的に表示し、３着は２着に準ずる着とし、境界値（1）＝1、境界値（２）＝３、境界値（３）＝6として、境界値（１）までを層＝１とし、境界値（２）までを層＝２とし、境界値（３）までを層＝３とし、境界値（３）を超えたら層＝４とする４層に分類する。
【００４２】
売上割合の最大値は、論理上では１３３％近くになる可能性はあるが、実際には１２０％程度となっている。
競輪の欠車の無い通常の出走選手数は9（名）であるから全てが均等に売れた場合は２６６÷９≒２９.５％となるが、売上の偏りを約２倍と仮定し１番人気の標準を６０％と設定し、境界値（1）＝６０、境界値（２）＝８０、境界値（３）＝１００として、境界値（１）までを層＝１とし、境界値（２）までを層＝２とし、境界値（３）までを層＝３とし、境界値（３）を超えたら層＝４とする４層に分類する。
【００４３】
図形オブジェクトは連対した、８番選手と、１番選手との２名のそれぞれの人気順と着順との組合せによって、描画し、一対として別々に存在するものであり、該レースは１番人気の選手が着外なので、前記２名の他に１番人気である３番選手の図形オブジェクトも存在する。
【００４４】
該レースの連対した選手の、８番選手と、１番選手と、１番人気で着外の３番選手との３名の図形オブジェクトを、図５・６・９・１０を参照して具体的に説明する。
図９の８番選手は３番人気で１着なので図５の４行目５４の第４の形状三要素に該当し、図６の第４の形状により、長方形の中を緑色で塗潰し、3Ｄ効果をつけ、１着から見た２着の連下人気順である１を分類した値の１の縦幅にて描画する。
図９の１番選手は４番人気で２着なので図５の５行目５５の第５の形状三要素に該当し、図６の第５の形状により、青色で頂点を上向きとした二等辺三角形を、１着から見た２着の連下人気順である1を分類した値の1の縦幅にて描画する。
図９の３番選手は１番人気で着外なので図５の３行目５３の第３の形状三要素に該当し、図６の第３の形状により、長方形の中を赤色で塗潰し、自己の売上割合の９０％を分類した値の3の縦幅にて描画する。
【００４５】
開催節について説明をする。
競輪・競艇・オートレース等において、全国に分散しているレース場へ選手が出向して一定日数（２〜６日程度）連続してレースを実施する単位を開催節（以後、単に節と言う。）と言う。
選手は個々のレース毎に全国を移動するのでは無く、節単位でレース場の宿泊施設に宿泊して連日同一レース場でレースに出走する、節の最初の日を１日目又は初日と言い次の日を２日目と言い最後の日をｎ日目又は最終日と言い、最終日の決勝戦（優勝戦）での優勝を目指して連日勝ち上がり戦を戦う。
対照的に中央競馬では休日（土・日・祭日等）しか開催して居らず、競走馬は数週間の間隔をおいて単発でレースに出走する。
【００４６】
図１１・１２のフローチャートと、図１３のビュー表とを参照して、情報誌ファイルを生成する処理の動作の説明をする。
Ｓ１・１日単位（１場所の１日分であり情報誌一部の単位）の初期化（イニシアライズ）であり、レース番号の添え字のｎ１を０にする。
Ｓ２・レース単位の初期化であり、レース番号の添え字のｎ１を＋１して、入力手段にて入力された出走表から出走表情報を読込み、選手ＩＤを配列（ｎ１、１〜出走選手数）に記憶し、選手番号の添え字のｎ２を０にする。
【００４７】
Ｓ３・選手単位の初期化であり、選手番号の添え字のｎ２を＋１して、競走成績テーブルから、選手ＩＤと、実施日とをキーに直近の所定のレース数分（３０レースとする。）の過去のレコードを抽出し、図１３に示すように、抽出された競走成績テーブルの各選手毎の、少なくとも、実施日と、レース場ＩＤと、開催種別と、日目と、レースの格と、人気順と着順と、売上割合と、連下人気順と、決まり手と、ＨＢ線取得とのフィールド項目を有するビュー表をメモリー上に生成し、ビュー表のレコード番号（レコードの行番号）の添え字であるｎ４（ＲＥＣ：１３１）と、図形オブジェクト又は節のデータ（以後、列の表示物と言う。）の横位置の添え字のn３とを０にする。
Ｓ４・ｎ４を＋１して、ビュー表のレコード番号＝ｎ４のレコードから、全てのデータを読込む。
【００４８】
Ｓ５・前回のレースと節が変ったか否かを、実施日と、レース場ＩＤと、日目とで、判断し、変った場合はＳ６にて節のデータを記憶してからＳ７へ進み、同じ場合は直接Ｓ７へ進む。
節が変わったか否かの判断は、まずレース場ＩＤを比較して一致していなければ節が変わったと判断する、レース場ＩＤが同じで有っても同一レース場の別の節へ続けて出走する場合も有るので、日目が順増していない又はレース間日数が相当期間有れば、節が変わったと判断する。
【００４９】
Ｓ６・列の表示物の横位置の添え字のn３を＋１して、列内容を節の表示データを表示する第１の列内容として、レース場テーブル３７ｂ３からレース場ＩＤと同一行のレース場名を抽出し、レース場名（ｎ1、n２、n３）と、初日日付（ｎ1、n２、n３）と、開催種別（ｎ1、n２、n３）と、n３の値の倍数にて算出したＸ座標（ｎ1、n２、n３）と、所定のＹ座標（ｎ1、n２、n３）とをそれぞれの配列に記憶する。
Ｓ７・列の表示物の横位置の添え字のn３を＋１して、判定記号文字としてレース場名（ｎ1、n２、n３）にレース場名として有り得ない“−”等の文字を記憶し、図形オブジェクトを表示する第２の列内容として、ビュー表から読込んだ、人気順と着順との組合せによって、図形オブジェクトの、形状三要素と、縦幅要素とを描画要素変換テーブルから抽出し、該抽出された縦幅要素より縦幅を算出し、レースの格にて縦位置（Ｙ座標）を算出し、n３の値の倍数にて横位置（Ｘ座標）を算出し、形（ｎ1、n２、n３）と、模様（ｎ1、n２、n３）と、色（ｎ1、n２、n３）と、縦幅（ｎ1、n２、n３）と、Ｘ座標（ｎ1、n２、n３）と、Ｙ座標（ｎ1、n２、n３）とをそれぞれの配列に記憶する。
【００５０】
Ｓ８・列の表示物の横位置の添え字のn３が、所定の数に達していなければＳ４に戻り、所定の数に達していればＳ９に進む。
表示する列を３０列とした場合は、節の表示データ＋図形オブジェクト＝３０とする。
Ｓ９・選手番号の添え字のｎ２が、出走選手数に達していなければＳ３に戻り、出走選手数に達していればＳ１０に進む。
Ｓ１０・レース番号の添え字のｎ１が、最終レースに達していなければＳ２に戻り、最終レースに達していればＳ１１に進む。
【００５１】
Ｓ１１・出走選手数分の節の表示データ又は図形オブジェクトを所定の数分表示した時系列コンテンツを縦方向に一覧表示した、一覧時系列コンテンツを生成し、該生成された、一覧時系列コンテンツと、一般的な情報とを含み、ベクトル（Ｖｅｋｔｏｒ）、ＢＭＰ（Ｂｉｔ  Ｍａｐ）、ＧＩＦ（Ｇｒａｐｈｉｃ  Ｉｎｔｅｒｃｈａｎｇｅ  Ｆｏｒｍａｔ）、ＪＰＥＧ（Ｊｏｉｎｔ  ＰｈｏｔｏＧｒａｐｈｉｃ  Ｅｘｐｅｒｔｓ  Ｇｒｏｕｐ）等の画像から成る情報誌ファイル３７ｄ１を生成し、第４のファイル管理部３７ｄに保存する。
【００５２】
図1を参照して時系列コンテンツ1の説明をする。
時間の移動を左右に設定し、右側が最新となる。
最上段に売上割合２を表示する。
図形オブジェクトの表示面を種目（レースの格）１〜３の３層に分割する。
ｎ３は節の表示データと、図形オブジェクトとの表示した列数（横位置）を右から左へ表している。
【００５３】
ｎ４はビュー表からデータを抽出したレコード番号である。
０２月２７日８が初日で開催種別がＦ1（７）の京王閣６で初日の競走成績を表す図形オブジェクト３は、種目３の予選に出走し、売上割合が９６％（２）で１番人気となり１着であり、２着の連下人気順は分類後の縦幅が２（破線４を参照）なので、２又は３位であったことを表している。
破線４は縦幅の分類値であり実際には表示しなくて良い。
２日目は種目１に出走して売上割合が８％で人気薄で７着９であったことを表している。
３日目の図形オブジェクト５は、種目２に出走して１番人気で２着であったことを表している。
【００５４】
横位置（ｎ３）が、２と、３と、１０との図形オブジェクトは、１番人気以外で１着であり、１０はかなりの高配当を表している。
横位置（ｎ３）が、１５と、１９との図形オブジェクトは、種目３の予選で１番人気で１着で人気に応えたことを表している。
横位置（ｎ３）が７の図形オブジェクトは、種目３の予選で１番人気で着外を表している。
本選手は種目３では人気上位となり、かなり人気に応えていて、種目２と、種目１では人気薄で時々連対して高配当をファンに提供していると読み取れる。
【００５５】
なお本例の図形オブジェクトは、人気順と着順と連下人気順又は売上割合とを描画要素とし、該値を反映表示しているが、ファンが勝者を予想するために有用と思われるデータ項目であれば、あらゆる数値のデータ項目を反映表示することができる。
図形オブジェクトの形状と、縦幅とについても、本例は一例であり、別の形状を用いても良い。
人気データの算出方法も、２連勝車番単式の連対時の売上合計を評価しているが、人気を反映している売上で有れば別の賭式や定義を用いても良い。
図形オブジェクトの、縦幅と、レースの格との分類層数や境界値は一例であり本例の値に限らず別の値を設定することもできる。
図形オブジェクトの時系列コンテンツ内の縦位置をレースの種目の３層のみで算出しているが、その下層に人気順の４層を設けて３×４＝１２層としても良く、その上層に節の格である開催種別を設けても良い。
【００５６】
競走成績テーブルの構成については、説明上全ての選手のレコードが同一テーブルに混在する構造としているが、記録データの容量縮小のためには、レース単位の全選手に共通した１次元データを記録するヘッダーテーブルと、各出走選手毎の２次元データを記録する選手テーブルとを別テーブルとして、一対多の関係におき、レースＩＤをキーとしてリンクさせる構造が望ましい。
【図面の簡単な説明】
【００５７】
【図１】図形オブジェクトを時系列に配置して描画した時系列コンテンツ。
【図２】レース単位の出走する全ての競走体の時系列コンテンツを縦方向に一覧表示した一覧時系列コンテンツの配置図。
【図３】公営競技情報誌製造システムの構成図。
【図４】人気順と着順との組合せによって、図形オブジェクトの、形状三要素と、縦幅要素とを選択する概念を示すフローチャート。
【図５】人気順と着順との組合せによって、図形オブジェクトの、形状三要素と、縦幅要素とを抽出／変換する描画要素変換テーブルの構成図。
【図６】図形と、形状三要素と、縦幅要素との対比表。
【図７】決まり手と、ＨＢ線取得とを表示する図形。
【図８】レース格変換テーブルの構成図。
【図９】競走成績テーブルの構成図。
【図１０】２連勝車番単式配当表。
【図１１】情報誌を作成する第１のフローチャートであり、1日分の複数のレースと、複数の選手とのループに関する。
【図１２】情報誌を作成する第２のフローチャートであり、選手単位の過去の複数のレースのループに関する。
【図１３】競走成績テーブルから抽出した宮村達男選手のビュー表の一部。
【図１４】競輪等で実施されている、一つのテキスト表示物から成る、競走成績を表示するテキスト成績表示物。
【図１５】競輪等で実施されている、競走成績を一つのテキスト表示物から成るテキスト成績表示物にて表示する第１の成績柱。
【図１６】競馬等で実施されている、複数のテキスト表示物の集合体から成る、競走成績を表示するテキスト成績表示物。
【図１７】競馬等で実施されている競走成績を複数のテキスト表示物の集合体から成るテキスト成績表示物にて表示する第２の成績柱。
【符号の説明】
【００５８】
１    選手単位の時系列コンテンツ。
２    当該レースの売上割合。
３    種目３に出走し、１番人気で、着順が１着で、２着（連対相手）の連下人気順が２位又は３位であった図形オブジェクト。
４    縦幅の値を表す線。
５    種目２に出走し、１番人気で２着であった図形オブジェクト。
６    レース場名。
７    開催種別（Ｆ１）。
８    実施日（０２月２７日）。
９    種目１に出走して７着であったことを表している文字。
３１    入力装置。
３２    ＣＰＵ。
３３    メモリー。
３４    印刷装置。
３５    表示装置。
３６    送信装置。
３７    記憶装置。
３７ａ    第１のファイル管理部。
３７ａ１    各種手段として機能するプログラム。
３７ｂ    第２のファイル管理部。
３７ｂ１    描画要素変換テーブル。
３７ｂ２    レース格変換テーブル。
３７ｂ３    レース場の基本情報のマスターテーブルであるレース場テーブル。
３７ｂ４    選手（競走体）の基本情報のマスターテーブルである競走体テーブル。
３７ｃ    第３のファイル管理部。
３７ｃ１    競走成績テーブル。
３７ｃ２    配当表テーブル。
３７ｄ    第４のファイル管理部。
３７ｄ１    表示媒体に表示又は印刷媒体に印刷される情報誌の基と成る情報誌ファイル。
３８    バス線。
５１    描画要素変換テーブルの、入力データの人気順が１番人気で着順が１着の行。
５２    描画要素変換テーブルの、入力データの人気順が１番人気で着順が２着の行。
５３    描画要素変換テーブルの、入力データの人気順が１番人気で着順が着外の行。
５４    描画要素変換テーブルの、入力データの人気順が１番人気以外で着順が１着の行。
５５    描画要素変換テーブルの、入力データの人気順が１番人気以外で着順が２着の行。
５６    描画要素変換テーブルの、入力データの人気順が１番人気以外で着順が着外の行。
７１    決まり手を色で表す長方形。
７２    最終バック線を取得（先頭で通過）したか否かを色で表す長方形で、本図では、中が塗潰されているので、取得を表している。
７３    １周前ホーム線を取得したか否かを色で表す長方形で、本図では、中が塗潰されているので、取得を表している。
７４    １周前バック線を取得したか否かを色で表す長方形で、本図では、中が塗潰されていないので、不取得を表している。
７５    ２周前ホーム線を取得したか否かを色で表す長方形で、本図では、中が塗潰されていないので、不取得を表している。
８１    入力された種目の文字列（原始データ）と比較される種目の文字列の列。
８２    入力された種目の文字列（原始データ）と一致した種目の文字列の同一行より出力されるレースの格（数値であり種目１〜３と言う。）の列。
１０１    出走する全選手の連上（１着）時の売上割合の合計。
１０２    出走する全選手の連対（１・２着）時の売上割合の合計。
１３１    ビュー表のレコード順（行）の列。
１４０    競輪等で実施されている、競走成績を一つのテキスト表示物から成るテキスト成績表示物で表示する第１の成績柱。（図１５に存在）。
１４１    競輪等で実施されている、一つのテキスト表示物から成る、競走成績を表示するテキスト成績表示物。１４２・着順を表す文字列。
１４３    レースの種目（レースの格）の上位数種類を表す囲み記号。
１４４    レースの種目（レースの格）の上位数種類のうちの決勝戦を表す二値（有無）の背景色。
１４５    １番古いレースである１月大宮競輪初日。（図１５に存在）。
１４６    １番新しいレースである４月岸和田競輪最終日。（図１５に存在）。
１６０    競馬等で実施されている競走成績を複数のテキスト表示物の集合体から成るテキスト成績表示物にて表示する第２の成績柱。（図１７に存在）。
１６１    競馬等で実施されている、複数のテキスト表示物の集合体から成る、競走成績を表示するテキスト成績表示物。
１６２    実施日を表す文字列。
１６３    レース場を表す文字列。
１６４    着順を表す文字列。
１６５    人気順を表す文字列。
１６６    重量を表す文字列。
１６７    連対相手名を表す文字列。
１６８    １番新しいレースの表示位置。（図１７に存在）。
１６９    １番古いレースの表示位置。（図１７に存在）。
Ｌ1    １日単位（１場所の１日分で有り情報誌一部の単位）のレースのループ。（図１１に存在）。
Ｌ２    選手のループ。（図１１に存在）。
Ｌ３    各選手の時系列コンテンツ内の図形オブジェクト又は節のデータの表示列のループ。（図１２に存在）。
Ｓ１    １日単位の初期化（イニシアライズ）。（図１１に存在）。
Ｓ２    レース単位の初期化。（図１１に存在）。
Ｓ３    選手単位の初期化及びビュー表の作成。（図１１に存在）。
Ｓ４    ビュー表のレコードからデータを読込む。（図１２に存在）。
Ｓ５    前回のレースと節が変ったか否かの判定及び分岐。（図１２に存在）。
Ｓ６    列内容を、節の表示データを表示する第１の列内容として、それぞれの配列に記憶する。（図１２に存在）。
Ｓ７    列内容を、図形オブジェクトを表示する第２の列内容として、それぞれの配列に記憶する。（図１２に存在）。
Ｓ８    時系列コンテンツの列の表示物の横位置が、所定の数に達したか否かの判定及び分岐。（図１２に存在）。
Ｓ９    選手番号が、出走選手数に達したか否かの判定及び分岐。（図１１に存在）。
Ｓ１０    レース番号が、最終レースに達したか否かの判定及び分岐。（図１１に存在）。
Ｓ１１    情報誌ファイルの生成及び保存。（図１１に存在）。
【要約】
【課題】公営競技の情報誌において、連勝式賭式に対応したデータ項目を含み、より多くのデータ項目を含んだ、競走体の競走成績の遷移を、一元的及び直感的に視認し易く表示したコンテンツを含んだ情報誌を提供する。
【解決手段】競走体の競走成績を構成する成績要素のうちの、少なくとも人気順と着順との組合せを、図形の描画要素を構成する少なくとも形と色と模様と縦幅とに反映させて表示した図形オブジェクトを、横又は縦の第１の方向に時間軸と前記第１の方向に直交した第２の方向にレースの格の数値軸とを設定した領域に、時系列に配置して描画した時系列コンテンツを含んだ情報誌を提供する。
【選択図】図１【図２】
0004122373.tif 000002
【図３】
0004122373.tif 000003
【図４】
0004122373.tif 000004
【図５】
0004122373.tif 000005
【図８】
0004122373.tif 000006
【図９】
0004122373.tif 000007
【図１０】
0004122373.tif 000008
【図１１】
0004122373.tif 000009
【図１２】
0004122373.tif 000010
【図１３】
0004122373.tif 000011
【図１６】
0004122373.tif 000012
【図１７】
0004122373.tif 000013
【図１】
0004122373.tif 000014
【図６】
0004122373.tif 000015
【図７】
0004122373.tif 000016
【図１４】
0004122373.tif 000017
【図１５】
0004122373.tif 000018